(57)【要約】【課題】  集積回路の端子数を減らして集積回路内のスペースの有効利用を図ると共にその回路規模を小さくする【解決手段】  集積回路４０には、電源電圧が印加される電源端子４０ｃと内部の高周波回路４３から直流的に絶縁されると共に、外部回路５８に接続される外部回路接続端子４０ｄとを設け、インターフェース４６にはアドレスデータに対応したアドレス識別電圧が印加されと共に、アドレス識別電圧によって選局用のデータのみを取り込むようにインターフェース４６を設定するためのアドレス識別回路４６ａを設け、アドレス識別回路４６ａを外部回路接続端子４０ｄに接続し、電源端子４０ｃと外部回路接続端子４０ｄとの間に第一の抵抗６１を接続し、外部回路接続端子４０ｄとグランドとの間を直流的にショートするか又は外部回路接続端子４０ｄとグランドとの間に第二の抵抗６１を接続するか、又は外部回路接続端子４０ｄとグランドとの間を直流的に絶縁した。【選択図】        図１
0003101833.tif 000002
【実用新案登録請求の範囲】
【請求項１】
選局用のデータを含む複数種類のデータが入力されるインターフェースと高周波回路とを内部に構成した集積回路と、前記集積回路の外部に設けられ、前記高周波回路に高周波的に結合される外部回路とを備え、前記選局用のデータには前記集積回路を特定するためのアドレスデータが重畳されており、前記集積回路には、電源電圧が印加される電源端子と、前記高周波回路から直流的に絶縁されると共に、前記外部回路に接続される外部回路接続端子とを設け、前記インターフェースには、前記アドレスデータに対応したアドレス識別電圧が印加されと共に、前記アドレス識別電圧によって前記選局用のデータのみを取り込むように前記インターフェースを設定するためのアドレス識別回路を設け、前記アドレス識別回路を前記外部回路接続端子に接続し、前記電源端子と前記外部回路接続端子との間に第一の抵抗を接続し、前記外部回路接続端子とグランドとの間を直流的にショートするか、又は前記外部回路接続端子とグランドとの間に第二の抵抗を接続するか、又は前記外部回路接続端子とグランドとの間を直流的に絶縁したことを特徴とするテレビジョンチューナ。
【請求項２】
前記第二の抵抗を前記集積回路の外部に設けたことを特徴とする請求項１に記載のテレビジョンチューナ。
【請求項３】
前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端を接地したことを特徴とする請求項１に記載のテレビジョンチューナ。
【請求項４】
前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端を前記第二の抵抗を介して接地したことを特徴とする請求項２に記載のテレビジョンチューナ。
【請求項５】
前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端をグランドから直流的に絶縁したことを特徴とする請求項１に記載のテレビジョンチューナ。
【考案の詳細な説明】
【技術分野】
【０００１】
本考案は、集積回路を使用したテレビジョンチューナに関する。
【背景技術】
【０００２】
従来のテレビジョンチューナを図５に従って説明する。集積回路１０は対向する二側辺にそれぞれ１２個の端子を有している（端子を表す〇印内の数字が端子番号（Ｎｏ．）を示す）。
Ｎｏ．１からＮｏ．１２までの端子が一方の側辺１０ａに設けられ、Ｎｏ．１３からＮｏ．２４までの端子が他方の側辺１０ｂに設けられる。また、内部には概略図示の通りの複数の回路が構成され、各回路は側辺１０ａ、１０ｂに設けられた端子に接続される。各回路の内、ＵＨＦ混合回路１１はその平衡入力端がＮｏ．２３の端子と、Ｎｏ．２４の端子に接続され、ＶＨＦ混合回路１２はその不平衡入力端がＮｏ．２２の端子に接続される。また、ＵＨＦ混合回路１１及びＶＨＦ混合回路１２の平衡出力端はＮｏ．１９の端子とＮｏ．２０の端子とに接続される。
【０００３】
ＶＨＦ混合回路１２には二つの発振回路、即ちＶＨＦローバンド発振回路（以下、ローバンド発振回路という）１３、ＶＨＦハイバンド発振回路（以下、ハイバンド発振回路という）１４から局部発振信号が供給される。ローバンド発振回路１３は不平衡型であり、その共振回路結合端がＮｏ．１の端子に接続される。また、ハイバンド発振回路１４は平衡型であり、その二つの共振回路結合端がそれぞれＮｏ．２の端子とＮｏ．３の端子に接続される。ＵＨＦ混合回路１１にはＵＨＦ発振回路１５から局部発振信号が供給される。ＵＨＦ発振回路１５も平衡型であり、その二つの共振回路結合端がそれぞれＮｏ．４の端子とＮｏ．５の端子に接続される。
【０００４】
Ｎｏ．１４乃至Ｎｏ．１６の端子にはテレビジョン受信機本体部（図示せず）からチャンネル選択用のデータ等が入力される。詳しくはＮｏ.１４の端子にはチャンネル選択用の周波数データやバンド切替データ等（選局データという）が入力され、Ｎｏ．１５の端子にはクロック信号が入力され、Ｎｏ.１６の端子にはアドレスを識別するための電圧（アドレス識別電圧）が印加される。これらの選局データやクロック信号はインターフェイス１６を介してＰＬＬ回路１７と切替電圧発生回路１８とに入力される。
【０００５】
アドレス識別電圧は、テレビジョン受信機本体部から出力される多数の種類のデータのうち、上記の選局データのみをこの集積回路１０に取り込むことが出来るようにするものであり、上記の選局データに含まれている２ビットのアドレスデータに対応して設定される。例えば、アドレスデータが（１、０）と指定されている場合には、アドレス識別電圧は２〜３ボルトの範囲の電圧となるように設定される。この電圧は、例えば５ボルトの電源電圧を集積回路１０の外部に設けた分圧抵抗（図示せず）によって設定されて、Ｎｏ．１６の端子に印加される。
そして、インターフェイス１６内には上記のアドレス識別電圧が入力されるアドレス識別回路（図示せず）が設けられ、このアドレス識別回路によって、上記の選局データのみが取り込めるようにインターフェイス１６が設定される。
【０００６】
ＰＬＬ回路１７には周波数データと各発振回路１３、１４、１５から出力される局部発振信号とが入力される。ＰＬＬ回路１７から出力された誤差信号はローパスフィルタを有するチャージポンプ２０によって直流変換され、次いで同調電圧発生回路２１からＮｏ．１０の端子に同調電圧が出力される。
また、切替電圧発生回路１８にはバンド切替データが入力され、バンド切替電圧はＮｏ．１７とＮｏ．１８の端子に出力される。
【０００７】
集積回路１０には外部に設けられた周辺回路が接続されるが、第一の共振回路２８はＶＨＦ帯のローバンド受信時に使用され、その一端がＮｏ．１の端子に結合され、他端は接地される。第二の共振回路２９はＶＨＦ帯のハイバンド受信時に使用され、その一端がＮｏ．２の端子に接続され、他端はＮｏ．３の端子に結合される。さらに、第三の共振回路３０はＵＨＦバンドの受信時に使用され、その一端がＮｏ．４の端子に接続され、他端はＮｏ．５の端子に結合される。各共振回路２８、２９、３０には共振周波数を変えるためのバラクタダイオード（図示せず）が設けられている。各バラクタダイオードにはＮｏ．１０の端子から出力された同調電圧が印加される（例えば、特許文献１参照。）。
なお、上記に説明した端子Ｎｏ．以外の端子に接続される回路（集積回路１０の内部に設ける回路及び集積回路１０の外部に設ける回路）に関してはその説明を省略する。
【０００８】
【特許文献１】特開２００３−２３４９７１号公報（図１）
【考案の開示】
【考案が解決しようとする課題】
【０００９】
上記の構成では、集積回路の外部で作ったアドレス識別電圧を印加するために専用の端子（Ｎｏ．１６の端子）を設けていたので、端子数が増加して集積回路の規模を小さくするのに制約があった。
【００１０】
本考案は、集積回路の端子数を減らして集積回路内のスペースの有効利用を図ると共にその回路規模を小さくすることを目的とする。
【課題を解決するための手段】
【００１１】
上記課題を解決するために、選局用のデータを含む複数種類のデータが入力されるインターフェースと高周波回路とを内部に構成した集積回路と、前記集積回路の外部に設けられ、前記高周波回路に高周波的に結合される外部回路とを備え、前記選局用のデータには前記集積回路を特定するためのアドレスデータが重畳されており、前記集積回路には、電源電圧が印加される電源端子と、前記高周波回路から直流的に絶縁されると共に、前記外部回路に接続される外部回路接続端子とを設け、前記インターフェースには、前記アドレスデータに対応したアドレス識別電圧が印加されと共に、前記アドレス識別電圧によって前記選局用のデータのみを取り込むように前記インターフェースを設定するためのアドレス識別回路を設け、前記アドレス識別回路を前記外部回路接続端子に接続し、前記電源端子と前記外部回路接続端子との間に第一の抵抗を接続し、前記外部回路接続端子とグランドとの間を直流的にショートするか、又は前記外部回路接続端子とグランドとの間に第二の抵抗を接続するか、又は前記外部回路接続端子とグランドとの間を直流的に絶縁した。
【００１２】
また、前記第二の抵抗を前記集積回路の外部に設けた。
【００１３】
また、前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端を接地した。
【００１４】
また、前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端を前記第二の抵抗を介して接地した。
【００１５】
また、前記外部回路は前記高周波回路とと共に発振回路を構成するための共振回路であり、前記共振回路には一端が前記外部回路接続端子に接続されると共に他端が高周波的に接地されるインダクタンスを少なくとも設け、前記インダクタンス素子の他端をグランドから直流的に絶縁した。
【考案の効果】
【００１６】
本考案においては、集積回路には、電源電圧が印加される電源端子と、内部の高周波回路から直流的に絶縁されると共に、外部回路に接続される外部回路接続端子とを設け、インターフェースには、アドレスデータに対応したアドレス識別電圧が印加されと共に、アドレス識別電圧によって選局用のデータのみを取り込むようにインターフェースを設定するためのアドレス識別回路を設け、アドレス識別回路を外部回路接続端子に接続し、電源端子と外部回路接続端子との間に第一の抵抗を接続し、外部回路接続端子とグランドとの間を直流的にショートするか、又は外部回路接続端子とグランドとの間に第二の抵抗を接続するか、又は外部回路接続端子とグランドとの間を直流的に絶縁したので、アドレス識別回路には外部回路接続端子を利用して３種類のアドレス識別電圧を印加することができる。従って、アドレス識別電圧を印加するための専用の端子が不要となり、集積回路の規模を小さくできる。
【００１７】
また、第二の抵抗を集積回路の外部に設けたので、アドレス識別電圧の値を容易に変更できる。
【００１８】
また、外部回路は高周波回路とと共に発振回路を構成するための共振回路であり、共振回路には一端が外部回路接続端子に接続されると共に他端が高周波的に接地されるインダクタンスを少なくとも設け、インダクタンス素子の他端を接地したので、共振回路を利用して０ボルトのアドレス電圧を容易に作れる。
【００１９】
また、外部回路は高周波回路とと共に発振回路を構成するための共振回路であり、共振回路には一端が外部回路接続端子に接続されると共に他端が高周波的に接地されるインダクタンスを少なくとも設け、インダクタンス素子の他端を第二の抵抗を介して接地したので、共振回路を利用して０ボルトと電源電圧との中間のアドレス電圧を作れる。
【００２０】
また、外部回路は高周波回路とと共に発振回路を構成するための共振回路であり、共振回路には一端が外部回路接続端子に接続されると共に他端が高周波的に接地されるインダクタンスを少なくとも設け、インダクタンス素子の他端をグランドから直流的に絶縁したので、共振回路を利用して電源電圧と等しいアドレス電圧を容易に作れる。
【考案を実施するための最良の形態】
【００２１】
本考案のテレビジョンチューナを図１に従って説明する。集積回路４０は対向する二側辺にそれぞれ１２個の端子を有している（端子を表す〇印内の数字が端子番号（Ｎｏ．）を示す）。
Ｎｏ．１からＮｏ．１２までの端子が一方の側辺４０ａに設けられ、Ｎｏ．１３からＮｏ．２４までの端子が他方の側辺４０ｂに設けられる。また、内部には概略図示の通りの複数の高周波回路が構成され、各高周波回路は側辺４０ａ、４０ｂに設けられた端子に接続される。複数の高周波回路のうち、ＵＨＦ混合回路４１はその平衡入力端がＮｏ．２３の端子と、Ｎｏ．２４の端子に接続され、ＶＨＦ混合回路４２はその不平衡入力端がＮｏ．２２の端子に接続される。また、ＵＨＦ混合回路４１及びＶＨＦ混合回路４２の平衡出力端はＮｏ．１９の端子とＮｏ．２０の端子とに接続される。これら各混合回路４１、４２には図示しない同調回路によって選択されたテレビジョン信号が入力される。
【００２２】
また、ＶＨＦ混合回路４２には二つの発振用の高周波回路、即ちＶＨＦローバンド発振用回路４３、ＶＨＦハイバンド発振用回路４４から局部発振信号が供給される。ＶＨＦローバンド発振用回路４３は不平衡型であり、その共振回路結合端がＮｏ．１の端子に交流結合される。また、ＶＨＦハイバンド発振用回路４４は平衡型であり、その二つの共振回路結合端がそれぞれＮｏ．２の端子とＮｏ．３の端子に結合される。ＵＨＦ混合回路４１には一つの発振用の高周波回路、即ち、ＵＨＦ発振用回路４５から局部発振信号が供給される。ＵＨＦ発振用回路４５も平衡型であり、その二つの共振回路結合端がそれぞれＮｏ．４の端子とＮｏ．５の端子に結合される。
【００２３】
Ｎｏ．１４の端子には図示しないテレビジョン受信機本体部（図示せず）から複数種類のデータが入力されるが、この中には集積回路４０向けに送られてくる選局用データが含まれる。また、選局用のデータにはチャンネル選択用の周波数データやバンド切替データの他にこの集積回路４０を特定するための２ビットのアドレスデータが重畳されている。
また、Ｎｏ．１５の端子にはクロック信号が入力される。
【００２４】
これらの選局データやクロック信号はインターフェイス４６を介してＰＬＬ回路４７と切替電圧発生回路４８とにそれぞれ入力される。インターフェース４６にはアドレス識別回路４６ａが設けられている。アドレス識別回路４６ａは、テレビジョン受信機本体部から送られてくる複数種類のデータのうち、上記の選局データのみをこの集積回路４０に取り込むことが出来るようにインターフェースを設定するものであり、そのために、アドレス識別回路４６ａにはアドレスデータに対応するアドレス識別電圧が印加される。
【００２５】
アドレスデータとアドレス識別電圧との関係は、例えば、アドレスデータが（０、０）に指定されたときはアドレス識別電圧は０〜０．５ボルト、（１、０）に指定されたときは２．０〜３．０ボルト、（１、１）に指定されたときは４．５〜５．０ボルト（電源電圧）となっている。
【００２６】
ＰＬＬ回路４７には周波数データと各発振用回路４３、４４、４５から出力される局部発振信号とが入力される。ＰＬＬ回路４７から出力された誤差信号はローパスフィルタを有するチャージポンプ５０によって直流変換され、次いで同調電圧発生回路５１からＮｏ．１０の端子に同調電圧が出力される。
また、切替電圧発生回路４８にはバンド切替データが入力され、バンド切替電圧はＮｏ．１７とＮｏ．１８の端子に出力される。
なお、電源電圧Ｖｃｃ（例えば５ボルト）は電源端子（Ｎｏ．８の端子）４０ｃに印加され、ここから各高周波回路に供給される。
【００２７】
集積回路４０には外部に設けられた外部回路が接続されるが、そのうち、第一の共振回路５８はＶＨＦ帯のローバンド受信時に使用され、その一端が外部回路接続端子（Ｎｏ．１の端子）４０ｄに結合され、他端は高周波的に接地される。そして、ローバンド発振用回路４３と第一の共振回路５８とによってＶＨＦローバンド用発振回路が構成される。
また、第二の共振回路５９はＶＨＦ帯のハイバンド受信時に使用され、その一端がＮｏ．２の端子に接続され、他端はＮｏ．３の端子に結合される。そして、ハイバンド発振用回路４４と第二の共振回路５９とによってＶＨＦハイバンド用発振回路が構成される。
さらに、第三の共振回路６０はＵＨＦバンドの受信時に使用され、その一端がＮｏ．４の端子に接続され、他端はＮｏ．５の端子に結合される。そして、ＵＨＦ発振用回路４５と第三の共振回路６０とによってＵＨＦ発振回路が構成される。
【００２８】
そして、第一の共振回路５８が接続される外部回路接続端子（Ｎｏ．１の端子）４０ｄと電源端子（Ｎｏ．８の端子）４０ｃとの間に第一の抵抗６１が接続され、外部回路接続端子（Ｎｏ．１の端子）４０ｄがアドレス識別回路４６ａの入力端に接続される。
【００２９】
各共振回路５８、５９、６０には共振周波数を変えるためのバラクタダイオードとそれに並列接続されるインダクタンス素子とがそれぞれ設けられ、各バラクタダイオードにはＮｏ．１０の端子から出力された同調電圧が印加される。
なお、上記に説明した端子Ｎｏ．以外の端子に接続される回路（集積回路４０の内部に設ける高周波回路及び集積回路４０の外部に設ける外部回路）に関してはその説明を省略する。
【００３０】
ここで、例えば、集積回路４０を特定するためのアドレスデータが（０、０）であれば、アドレス識別回路４６ａに入力すべきアドレス識別電圧は０〜０．５ボルトであるので、このときは、図２に示すように、第一の共振回路５８のインダクタンス素子５８ａの一端を外部回路接続端子（Ｎｏ．１の端子）４０ｄに接続し、他端を接地して外部回路接続端子（Ｎｏ．１の端子）４０ｄをグランドに直流的にショートする。すると、外部回路接続端子（Ｎｏ．１の端子）４０ｄの電圧は０ボルトとなり、これがアドレス識別電圧としてアドレス識別回路４６ａに入力され、上記の条件（０〜０．５ボルト）を満足する。また、インダクタンス素子５８ａに並列接続されるバラクタダイオード５８ｂのアノードは接地され、カソードに同調電圧が印加される。
【００３１】
また、集積回路４０を特定するためのアドレスデータが（１、０）であれば、アドレス識別回路４６ａに入力すべきアドレス識別電圧は２．０〜３．０ボルトであるので、このときは、図３に示すように、第一の共振回路５８のインダクタンス素子５８ａの一端を外部回路接続端子（Ｎｏ．１の端子）４０ｄに接続し、他端を直流カットコンデンサ５８ｃによって高周波的に接地すると共に、第二の抵抗５８ｄを介して接地する。そして、第二の抵抗５８ｄの抵抗値を第一の抵抗６１の抵抗値と同じにする。すると、外部回路接続端子（Ｎｏ．１の端子）４０ｄの電圧は２．５ボルトとなり、これがアドレス識別電圧としてアドレス識別回路４６ａに入力され、上記の条件（２．０〜３．０ボルト）を満足する。
【００３２】
さらに、集積回路４０を特定するためのアドレスデータが（１、１）であれば、アドレス識別回路４６ａに入力すべきアドレス識別電圧は４．５〜５．０ボルトであるので、このときは、図４に示すように、第一の共振回路５８のインダクタンス素子５８ａの一端を外部回路接続端子（Ｎｏ．１の端子）４０ｄに接続し、他端を直流カットコンデンサ５８ｃのみによって接地してグランドから直流的に絶縁する。すると、Ｎｏ．１の端子の電圧は５．０ボルトとなり、これがアドレス識別電圧としてアドレス識別回路４６ａに入力され、上記の条件（４．５〜５．０ボルト）を満足する。
【図面の簡単な説明】
【００３３】
【図１】本考案のテレビジョンチューナの構成を示す回路図である。
【図２】本考案のテレビジョンチューナにおけるアドレス識別電圧発生の説明図である。
【図３】本考案のテレビジョンチューナにおけるアドレス識別電圧発生の説明図である。
【図４】本考案のテレビジョンチューナにおけるアドレス識別電圧発生の説明図である。
【図５】従来のテレビジョンチューナの構成を示す回路図である。
【符号の説明】
【００３４】
４０：集積回路
４０ｃ：電源端子
４０ｄ：外部回路接続端子
４１：ＵＨＦ混合器（高周波回路）
４２：ＶＨＦ混合器（高周波回路）
４３：ＶＨＦローバンド発振用回路（高周波回路）
４４：ＶＨＦハイバンド発振用回路（高周波回路）
４５：ＵＨＦ発振用回路
４６：インターフェース
４６：アドレス識別回路
４７：ＰＬＬ回路
４８：切替電圧発生回路
５８：第一の共振回路（外部回路）
５８ａ：インダクタンス素子
５８ｂ：バラクタダイオード
５８ｃ：直流カットコンデンサ
５８ｄ：第二の抵抗
５９：第二の共振回路（外部回路）
６０：第三の共振回路（外部回路）
６１：第一の抵抗
【図１】
0003101833.tif 000003
【図２】
0003101833.tif 000004
【図３】
0003101833.tif 000005
【図４】
0003101833.tif 000006
【図５】
0003101833.tif 000007